【手続補正書】
【提出日】平成24年11月30日(2012.11.30)
【手続補正１】
【補正対象書類名】特許請求の範囲
【補正対象項目名】全文
【補正方法】変更
【補正の内容】
【特許請求の範囲】
【請求項１】
画面と、
コンテンツを表す画像を多角柱の各側面に複数個配置した仮想３次元オブジェクトの一部を上記画面上に表示させる表示処理手段と、
入力部と、
表示されている上記側面とは別の上記側面の表示を指示する第１の入力操作が上記入力部に対して行われた場合に、上記表示処理手段を制御して上記多角柱の中心軸を回転軸とした上記仮想３次元オブジェクトの回転を表示させるとともに回転の結果表示されることになる上記側面を表示させるための処理を実行する回転処理手段と、
表示されている上記側面の、上記中心軸と平行な方向における別の位置の表示を指示する第２の入力操作が上記入力部に対して行われた場合に、上記表示処理手段を制御して表示されている上記側面の上記方向へのスクロール移動を表示させるとともに移動の結果表示されることになる部分を表示させるための処理を実行するスクロール移動処理手段と、を備えており、
上記回転処理手段は、上記仮想３次元オブジェクトの回転途中に、上記画面上に表示される隣り合う２つの上記側面各々の４つの内角のうち、当該隣り合う２つの上記側面の境界側に位置する２つの上記内角が鋭角となって表示され、かつ、残りの２つの上記内角が鈍角となって表示されるように、上記表示処理手段を制御することを特徴とするコンテンツ表示装置。
【請求項２】
画面と、
コンテンツを表す画像を多角柱の各側面に複数個配置した仮想３次元オブジェクトの一部を上記画面上に表示させる表示処理手段と、
入力部と、
表示されている上記側面とは別の上記側面の表示を指示する第１の入力操作が上記入力部に対して行われた場合に、上記表示処理手段を制御して上記多角柱の中心軸を回転軸とした上記仮想３次元オブジェクトの回転を表示させるとともに回転の結果表示されることになる上記側面を表示させるための処理を実行する回転処理手段と、
表示されている上記側面の、上記中心軸と平行な方向における別の位置の表示を指示する第２の入力操作が上記入力部に対して行われた場合に、上記表示処理手段を制御して表示されている上記側面の上記方向へのスクロール移動を表示させるとともに移動の結果表示されることになる部分を表示させるための処理を実行するスクロール移動処理手段と、を備えており、
上記スクロール移動処理手段は、上記側面の上記方向における表示位置を、上記側面毎に独立に制御しており、
上記回転処理手段は、上記仮想３次元オブジェクトの回転の結果表示されることになる上記側面の表示位置が、当該側面の前回の上記方向へのスクロール移動の結果表示された上記方向における上記表示位置となるように、上記表示処理手段を制御することを特徴とするコンテンツ表示装置。
【請求項３】
画面と、
コンテンツを表す画像を多角柱の各側面に複数個配置した仮想３次元オブジェクトの一部を上記画面上に表示させる表示処理手段と、
入力部と、
表示されている上記側面とは別の上記側面の表示を指示する第１の入力操作が上記入力部に対して行われた場合に、上記表示処理手段を制御して上記多角柱の中心軸を回転軸とした上記仮想３次元オブジェクトの回転を表示させるとともに回転の結果表示されることになる上記側面を表示させるための処理を実行する回転処理手段と、
表示されている上記側面の、上記中心軸と平行な方向における別の位置の表示を指示する第２の入力操作が上記入力部に対して行われた場合に、上記表示処理手段を制御して表示されている上記側面の上記方向へのスクロール移動を表示させるとともに移動の結果表示されることになる部分を表示させるための処理を実行するスクロール移動処理手段と、を備えており、
上記入力部は、上記画面と重畳して設けられているタッチパネルであり、
上記側面の少なくとも１つは、上記画像が上記方向に沿って一列に配置されており、
上記画像が上記方向に沿って一列に配置されている上記側面が上記画面に表示されている状態において、上記タッチパネル上で、上記画像の１つを起点として、該画像を上記画面上で上方向に移動させる入力操作を行うことにより、該画像が表しているコンテンツのバックナンバーを表す上記画像の一覧を上記画面に表示することを特徴とするコンテンツ表示装置。
【請求項４】
上記入力部は、上記画面と重畳して設けられているタッチパネルであり、
上記回転処理手段は、上記タッチパネル上での上記第１の入力操作の速度に応じて、回転後に表示させる上記側面を決定することを特徴とする請求項１〜３の何れか１項に記載のコンテンツ表示装置。
【請求項５】
上記入力部は、上記画面と重畳して設けられているタッチパネルであり、
上記スクロール移動処理手段は、上記タッチパネル上での上記第２の入力操作の速度に基づいて、スクロール移動後の表示部分を決定することを特徴とする請求項１〜３の何れか１項に記載のコンテンツ表示装置。
【請求項６】
上記側面毎に上記コンテンツのカテゴリが規定されており、上記側面のそれぞれに配置される上記各画像は、それぞれの上記側面に規定された該カテゴリに属する上記コンテンツの上記画像であることを特徴とする請求項１〜５の何れか１項に記載のコンテンツ表示装置。
【請求項７】
上記側面の少なくとも１つには棚が設けられており、
上記表示処理手段は、
上記棚が設けられた上記側面における上記各画像を上記棚の上に置かれているように表示させ、
上記画面内での上記棚の表示位置に応じて、上記棚の表示角度を変化させることを特徴とする請求項１〜６の何れか１項に記載のコンテンツ表示装置。
【請求項８】
上記表示処理手段は、少なくとも１つの上記側面および少なくとも１つの上記画像の不透明度を低減させ、表示されている上記側面以外の上記側面および該側面に配置された上記画像も表示させることを特徴とする請求項１〜７の何れか１項に記載のコンテンツ表示装置。
【請求項９】
上記表示処理手段は、上記多角柱の回転の角度に応じて、上記少なくとも１つの側面の不透明度を変化させることを特徴とする請求項８に記載のコンテンツ表示装置。
【請求項１０】
上記第１の入力操作は表示すべき上記側面を選択するものであり、上記回転処理手段は、上記第１の入力操作による上記タッチパネル上での選択操作に基づいて、上記多角柱を回転表示させて、選択された上記側面を表示させることを特徴とする請求項３〜５の何れか１項に記載のコンテンツ表示装置。
【請求項１１】
上記コンテンツは電子書籍であり、上記画像は該電子書籍のサムネイル画像であることを特徴とする請求項１〜１０の何れか１項に記載のコンテンツ表示装置。
【請求項１２】
多角柱である仮想３次元オブジェクトの一部を、入力部を備えたコンテンツ表示装置の画面上に表示するコンテンツ表示方法であって、
上記多角柱の各側面には、コンテンツを表す画像が複数個配置されており、
上記画面上に表示する上記仮想３次元オブジェクトの表示部分を変更する変更処理工程を含み、
上記変更処理工程では、
表示されている上記側面とは別の上記側面の表示を指示する第１の入力操作が上記入力部に対して行われた場合に、上記多角柱の中心軸を回転軸とした上記仮想３次元オブジェクトの回転を表示するとともに回転の結果表示されることになる上記側面を表示するための処理を実行し、
表示されている上記側面の上記中心軸と平行な方向における別の位置の表示を指示する第２の入力操作が上記入力部に対して行われた場合に、表示されている上記側面の上記方向へのスクロール移動を表示するとともに移動の結果表示されることになる部分を表示するための処理を実行し、
上記変更処理工程では、さらに、上記仮想３次元オブジェクトの回転途中に、上記画面上に表示される隣り合う２つの上記側面各々の４つの内角のうち、当該隣り合う２つの上記側面の境界側に位置する２つの上記内角を鋭角となって表示し、かつ、残りの２つの上記内角を鈍角となって表示するための処理を実行することを特徴とするコンテンツ表示方法。
【請求項１３】
多角柱である仮想３次元オブジェクトの一部を、入力部を備えたコンテンツ表示装置の画面上に表示するコンテンツ表示方法であって、
上記多角柱の各側面には、コンテンツを表す画像が複数個配置されており、
上記画面上に表示する上記仮想３次元オブジェクトの表示部分を変更する変更処理工程を含み、
上記変更処理工程では、
表示されている上記側面とは別の上記側面の表示を指示する第１の入力操作が上記入力部に対して行われた場合に、上記多角柱の中心軸を回転軸とした上記仮想３次元オブジェクトの回転を表示するとともに回転の結果表示されることになる上記側面を表示するための処理を実行し、
表示されている上記側面の上記中心軸と平行な方向における別の位置の表示を指示する第２の入力操作が上記入力部に対して行われた場合に、表示されている上記側面の上記方向へのスクロール移動を表示するとともに移動の結果表示されることになる部分を表示するための処理を実行し、
上記変更処理工程では、さらに、
上記側面の上記方向における表示位置を、上記側面毎に独立に制御し、
上記仮想３次元オブジェクトの回転の結果表示されることになる上記側面の表示位置が、当該側面の前回の上記方向へのスクロール移動の結果表示された上記方向における上記表示位置となるように表示するための処理を実行することを特徴とするコンテンツ表示方法。
【請求項１４】
多角柱である仮想３次元オブジェクトの一部を、入力部を備えたコンテンツ表示装置の画面上に表示するコンテンツ表示方法であって、
上記多角柱の各側面には、コンテンツを表す画像が複数個配置されており、
上記画面上に表示する上記仮想３次元オブジェクトの表示部分を変更する変更処理工程を含み、
上記変更処理工程では、
表示されている上記側面とは別の上記側面の表示を指示する第１の入力操作が上記入力部に対して行われた場合に、上記多角柱の中心軸を回転軸とした上記仮想３次元オブジェクトの回転を表示するとともに回転の結果表示されることになる上記側面を表示するための処理を実行し、
表示されている上記側面の上記中心軸と平行な方向における別の位置の表示を指示する第２の入力操作が上記入力部に対して行われた場合に、表示されている上記側面の上記方向へのスクロール移動を表示するとともに移動の結果表示されることになる部分を表示するための処理を実行し、
上記入力部は、上記画面と重畳して設けられているタッチパネルであり、
上記側面の少なくとも１つは、上記画像が上記方向に沿って一列に配置されており、
上記変更処理工程では、さらに、上記画像が上記方向に沿って一列に配置されている上記側面が上記画面に表示されている状態において、上記タッチパネル上で、上記画像の１つを起点として、該画像を上記画面上で上方向に移動させる入力操作を行うことにより、該画像が表しているコンテンツのバックナンバーを表す上記画像の一覧を上記画面に表示するための処理を実行することを特徴とするコンテンツ表示方法。
【請求項１５】
請求項１〜１１のいずれか１項に記載のコンテンツ表示装置を動作させるプログラムであって、コンピュータを上記表示処理手段、上記回転処理手段および上記スクロール移動処理手段として機能させるためのプログラム。
【請求項１６】
請求項１５に記載のプログラムを記録しているコンピュータ読み取り可能な記録媒体。